(57)【要約】【課題】企業ユーザに、ポスターの管理権限を与え、また、そのバージョン管理を自動化することで空間管理者の負担軽減をはかる。【解決手段】ポスター管理入稿システムは、クライアント端末が持つウェブインタフェースを用い、入稿のために送信されるポスター画像、及び当該ポスター画像のＵＲＬを受信するポスター画像受信部１０２と、ポスター画像を規定化されたサイズと形式に適合するようにフォーマット変換し、ＵＲＬと共にその変換画像を蓄積するフォーマット変換部１０３と、ポスター画像の公開指示に基づき、蓄積された変換画像を呼び出し、そのバージョン情報を更新して当該更新用の世代差ファイルを生成してユーザ端末による閲覧のために公開するポスター画像公開部１０５とを備える。【選択図】　　　図２
2004094639.tif 000002
【特許請求の範囲】
【請求項１】
通信ネットワークを介して接続されるクライアント端末との間で、ポスター画像の入稿が行なわれる、３次元チャット仮想空間におけるポスター管理入稿サーバであって、
前記クライアント端末から入稿のために送信されるポスター画像、及び当該ポスター画像のリンク先アドレス情報を受信するポスター画像受信手段と、
前記ポスター画像を表示可能として規定化されたサイズと形式に適合するようにフォーマット変換することにより変換画像とし、前記アドレス情報と共にその変換画像を蓄積するフォーマット変換手段と、
を備えたことを特徴とする３次元チャット仮想空間におけるポスター管理入稿サーバ。
【請求項２】
通信ネットワークを介して接続されるクライアント端末との間で、ポスター画像の入稿、及びその閲覧が行なわれる、３次元チャット仮想空間におけるポスター管理入稿サーバであって、
前記クライアント端末から入稿のために送信されるポスター画像、及び当該ポスター画像のリンク先アドレス情報を受信するポスター画像受信手段と、
前記ポスター画像を表示可能として規定化されたサイズと形式に適合するようにフォーマット変換することにより変換画像とし、前記アドレス情報と共にその変換画像を蓄積するフォーマット変換手段と、
前記クライアント端末を介して得られる前記ポスター画像の公開指示に基づき、前記蓄積された変換画像を呼び出し、そのバージョン情報を更新して更新用の世代差ファイルを生成し、ユーザ端末による閲覧のために公開するポスター画像公開手段と、
を備えたことを特徴とする３次元チャット仮想空間におけるポスター管理入稿サーバ。
【請求項３】
前記ポスター画像公開手段は、
前記公開される変換画像の呼び出し時に、その変換画像が持つバージョン情報を更新して保管し、前記全てのクライアント端末に対して共用を許すバージョン情報保管手段と、
前記公開される変換画像とバージョン情報を１個のファイルに圧縮し、当該ファイルを世代差ファイルとして３次元チャットのバージョン管理のために接続される自動更新サーバへ登録するバージョン情報管理手段と、
を備えたことを特徴とする請求項２に記載の３次元チャット仮想空間におけるポスター管理入稿サーバ。
【請求項４】
通信ネットワークを介して接続されるクライアント端末との間で、ポスター画像の入稿が行なわれる、３次元チャット仮想空間におけるポスター管理入稿方法であって、
前記クライアント端末から入稿のために送信されるポスター画像、及び当該ポスター画像のリンク先アドレス情報を受信し、
前記ポスター画像を表示可能として規定化されたサイズと形式に適合するようにフォーマット変換することにより変換画像とし、前記アドレス情報と共にその変換画像を蓄積すること、
を特徴とする３次元チャット仮想空間におけるポスター管理入稿方法。
【請求項５】
通信ネットワークを介して接続されるクライアント端末との間で、ポスター画像の入稿、及びその閲覧が行なわれる、３次元チャット仮想空間におけるポスター管理入稿方法であって、
前記クライアント端末から入稿のために送信されるポスター画像、及び当該ポスター画像のリンク先アドレス情報を受信し、
前記ポスター画像を表示可能として規定化されたサイズと形式に適合するようにフォーマット変換することにより変換画像とし、前記アドレス情報と共にその変換画像を蓄積し、
前記クライアント端末を介して得られる前記ポスター画像の公開指示に基づき、前記蓄積された変換画像を呼び出し、バージョン情報を更新して当該更新用の世代差ファイルを生成し、ユーザ端末による閲覧のために公開すること、
を特徴とする３次元チャット仮想空間におけるポスター管理入稿方法。
【発明の詳細な説明】
【０００１】
【発明の属する技術分野】
本発明は、通信ネットワークを介して接続されるクライアント端末との間で、ポスター画像の入稿、及びその閲覧が行なわれる、３次元チャット仮想空間におけるポスター管理入稿サーバ、及びその方法に関する。
【０００２】
【従来の技術】
９０年代に急速に進歩した「インターネット」と「コンピュータグラフィックス」の両者を組み合わせて生まれた技術のひとつに、３次元（以下、単に３Ｄという）チャットがある。３Ｄチャットは、インターネット利用ユーザに対して、アバターと呼ばれるキャラクタを介し、マルチユーザ型の仮想３次元空間を提供する技術である。
一方、企業ユーザに対しては、コンシューマが多く集まる場所に現実の世界と同じく宣伝活動を行うためのポスターや空間の一部を仮想店舗として提供し、当該ポスターを一般ユーザがクリックすることにより、企業のホームページへジャンプできる環境を提供している。
【０００３】
ところで、企業ユーザが自社の広告媒体であるポスターのデザインと、それに付随するＵＲＬ（Ｕｎｉｆｏｒｍ・Ｒｅｓｏｕｒｃｅ・Ｌｏｃａｔｏｒ）パスの情報を任意に変更したいときに、従来、空間管理者は、チャットサーバ以外にコンテンツの差分を配信する自動更新サーバを用意することで対応していた。
自動更新サーバとは、クライアント端末との連携により公開済みコンテンツの最新バージョンとの世代差を計算し、更新に必要なコンテンツのみを最適化した差分ファイルとしてクライアント端末に送信することにより、ユーザとコンテンツ提供者側のバージョン管理にかかる管理負荷を軽減するものである。この自動更新サーバについては、本出願と同一出願人から既に出願がなされている（特願２００２−０８６９０６）。
【０００４】
【発明が解決しようとする課題】
しかしながら、上記した自動更新サーバに入稿する差分コンテンツの作成と自動更新サーバへの登録については、サーバ管理者、或いは３Ｄチャット空間の構造を把握した管理者による手作業による操作が前提となっている。従って、企業ユーザがコンテンツを管理する場合、以下に列挙する問題が存在する。
【０００５】
すなわち、企業ユーザとしては、
（１）自動更新サーバに登録するポスターの画像変換作業と自動更新サーバへの登録作業を、自動更新サーバの管理者に対して依頼する必要があり、企業サイドの自由度が損なわれる。
（２）世代差ファイルを作成するスキルを習得しなければ、管理者側の工数負荷を軽減できないためコストダウンが困難である。
（３）空間全体の世代（バージョン）情報を管理、把握しなければならない。また、空間管理者としても、
（４）１個の空間に複数のスポンサーが存在した場合、その世代差の管理が煩雑になる。
（５）自動更新サーバが配布する差分ファイルは、クライアント端末のコンテンツとシステムに対して強い権限を持つため、空間管理者は、企業ユーザ側が更新コンテンツを作成した場合、そのリスク管理も行わなければならない。
（６）空間全体の世代情報を管理、把握しなければならない。
【０００６】
本発明は上記諸々の事情に鑑みてなされたものであり、企業ユーザに、ウェブインタフェース画面を使用してポスター画像とリンク先アドレスの編集を行わせることでポスターの管理権限を与え、また、そのバージョン管理を自動化することにより、空間管理者の負担軽減をはかった、３次元チャット仮想空間におけるポスター管理入稿サーバ、及びその方法を提供することを目的とする。
【０００７】
【課題を解決するための手段】
上記した課題を解決するために本発明は、通信ネットワークを介して接続されるクライアント端末との間で、ポスター画像の入稿が行なわれる、３次元チャット仮想空間におけるポスター管理入稿サーバであって、前記クライアント端末から入稿のために送信されるポスター画像、及び当該ポスター画像のリンク先アドレス情報を受信するポスター画像受信手段と、前記ポスター画像を表示可能として規定化されたサイズと形式に適合するようにフォーマット変換することにより変換画像とし、前記アドレス情報と共にその変換画像を蓄積するフォーマット変換手段と、を備えたことを特徴とする。
【０００８】
上記した課題を解決するために本発明は、通信ネットワークを介して接続されるクライアント端末との間で、ポスター画像の入稿、及びその閲覧が行なわれる、３次元チャット仮想空間におけるポスター管理入稿サーバであって、前記クライアント端末から入稿のために送信されるポスター画像、及び当該ポスター画像のリンク先アドレス情報を受信するポスター画像受信手段と、前記ポスター画像を表示可能として規定化されたサイズと形式に適合するようにフォーマット変換することにより変換画像とし、前記アドレス情報と共にその変換画像を蓄積するフォーマット変換手段と、前記クライアント端末を介して得られる前記ポスター画像の公開指示に基づき、前記蓄積された変換画像を呼び出し、そのバージョン情報を更新して更新用の世代差ファイルを生成し、ユーザ端末による閲覧のために公開するポスター画像公開手段と、を備えたことを特徴とする。
【０００９】
また、本発明において、前記ポスター画像公開手段は、前記公開される変換画像の呼び出し時に、その変換画像が持つバージョン情報を更新して保管し、前記全てのクライアント端末に対して共用を許すバージョン情報保管手段と、前記公開される変換画像とバージョン情報を１個のファイルに圧縮し、当該ファイルを世代差ファイルとして３次元チャットのバージョン管理のために接続される自動更新サーバへ登録するバージョン情報管理手段と、を備えたことを特徴とする。
【００１０】
上記した課題を解決するために本発明は、通信ネットワークを介して接続されるクライアント端末との間で、ポスター画像の入稿が行なわれる、３次元チャット仮想空間におけるポスター管理入稿方法であって、前記クライアント端末から入稿のために送信されるポスター画像、及び当該ポスター画像のリンク先アドレス情報を受信し、前記ポスター画像を表示可能として規定化されたサイズと形式に適合するようにフォーマット変換することにより変換画像とし、前記アドレス情報と共にその変換画像を蓄積すること、を特徴とする。
【００１１】
上記した課題を解決するために本発明は、通信ネットワークを介して接続されるクライアント端末との間で、ポスター画像の入稿、及びその閲覧が行なわれる、３次元チャット仮想空間におけるポスター管理入稿方法であって、前記クライアント端末から入稿のために送信されるポスター画像、及び当該ポスター画像のリンク先アドレス情報を受信し、前記ポスター画像を表示可能として規定化されたサイズと形式に適合するようにフォーマット変換することにより変換画像とし、前記アドレス情報と共にその変換画像を蓄積し、前記クライアント端末を介して得られる前記ポスター画像の公開指示に基づき、前記蓄積された変換画像を呼び出し、バージョン情報を更新して当該更新用の世代差ファイルを生成し、ユーザ端末による閲覧のために公開すること、を特徴とする。
【００１２】
【発明の実施の形態】
図１は、本発明の３次元チャット仮想空間におけるポスター管理入稿システム及びその利用主体を説明するために引用した図である。
図１において、１は空間管理者、２はポスター管理者、３は一般ユーザであり、それぞれがサーバもしくは端末装置を備えるものとし、また、インターネット等の通信ネットワークを介して接続されているものとする。空間管理者１は、本発明のポスター管理入稿サーバ１０、そして、自動更新サーバ１１、３Ｄチャットサーバ１２のそれぞれを備える。
【００１３】
本発明のポスター管理入稿サーバ１０は、ポスター画像を入稿する企業ユーザ２に対し、クライアント端末２０を介してポスター画像とリンク先アドレス（ＵＲＬ）の編集を行わせることでポスターの管理権限を与え、また、そのバージョン管理を自動化することにより、空間管理者の負担軽減をはかるものであり、その内部構成等、詳細については後述する。
自動更新サーバ１１は、上記したように、公開済みコンテンツの最新バージョンとの世代差を計算し、更新に必要なコンテンツのみを最適化した差分ファイルとして一般ユーザ３のユーザ端末３０に送信することにより、一般ユーザ３とコンテンツを提供する企業ユーザ２のバージョン管理にかかる管理負荷を軽減するものである。
また、３Ｄチャットサーバ１２は、インターネット利用ユーザに対して、アバターと呼ばれるキャラクタを介し、マルチユーザ型の仮想３次元空間を提供するサーバであり、その３次元空間の一部に、コンシューマが多く集まる場所に現実の世界と同じく宣伝活動を行うためのポスターや空間の一部を仮想店舗として提供している。
【００１４】
なお、企業ユーザであるポスター管理者２は、ログインしたときに表示されるポスター管理入稿画面を用いてポスター画像のアップロードを行うクライアント端末２０を備え、また、３Ｄチャットユーザである一般ユーザ３は、上記した自動更新プログラム３１と３Ｄチャットサーバ１２との間で３Ｄチャツトを実現する３Ｄチャットブラウザ３２が実装されたユーザ端末３０を備える。
【００１５】
図１に示すポスター管理入稿システムは、ポスター管理者２が、自分の管理権限が与えられたポスターに対して、ウェブインタフェース画面を使用して、デザインとリンクＵＲＬパス情報の編集を可能とするものである。
概略動作の流れを説明すれば以下のようになる。まず、企業ユーザであるポスター管理者２は、標準的なウェブインタフェースを用いてポスター管理入稿サーバ１０にアクセスし、ポスター画像（ビットマップファイル）とＵＲＬパス情報を送信する（ａ）。また、３Ｄチャットユーザである一般ユーザ３は、３Ｄチャット空間内に表示されたポスターをクリックした情報を、ポスター管理入稿サーバ１０に送信する（ｂ）。
【００１６】
これらを受信したポスター管理入稿サーバ１０では、複数のクライアント端末２０を介してから送られてきたポスター用の画像データと、そのポスターが３Ｄチャット空間で一般ユーザ３によってクリックされた場合のリンク先ＵＲＬパス情報を記憶する。そして、そのポスター用の画像データは、規格化されたサイズと形式に適合するように変換されて、画像情報となる。なお、ＵＲＬパス情報は３Ｄチャット空間のＵＲＬ情報を管理するデータファイルにマージするものとする。
ポスター管理入稿サーバ１０は、ポスター管理者２のクライアント端末２０を介して入稿された情報を収集し、自動更新用の世代差ファイルを生成する。また、生成した世代差ファイルを自動更新サーバ１１に登録する（ｃ）。更に、一般ユーザ３からユーザ端末３０を介して送信されるポスタークリック情報の集計も行う（ｄ）。そして、一般ユーザ３からのバージョン情報問合せに対してコンテンツ（ポスター画像）送信を行う（ｅ、ｆ）。以下に詳細説明を行う。
【００１７】
図２は、図１に示すポスター管理入稿サーバ１０の内部構成を機能展開して示したブロック図である。
以下に示す各ブロックは、具体的には、ＣＰＵならびにメモリを含む周辺ＬＳＩで構成され、ＣＰＵがメモリに記録されたプログラムを読み出し逐次実行することにより、そのブロックが持つ機能を実現するものである。
ポスター管理入稿サーバ１０は、通信インタフェース部１０１と、ポスター画像受信部１０２と、フォーマット変換部１０３と、画像蓄積部１０４と、ポスター画像公開部１０５で構成される。
【００１８】
通信インタフェース部１０１は、クライアント端末２０、ユーザ端末３０とのインタフェースを司るインタフェースユニットであり、ここでは、インターネットを介して通信を行うため、ＴＣＰ／ＩＰ（Ｔｒａｎｓｐｏｒｔ　Ｃｏｎｔｒｏｌ　Ｐｒｏｔｏｃｏｌ／Ｉｎｔｅｒｎｅｔ　Ｐｒｏｔｏｃｏｌ）が実装される。
ポスター画像受信部１０２は、クライアント端末２０から入稿のために送信されるポスター画像、及び当該ポスター画像のリンク先ＵＲＬ情報を受信する機能を持つ。また、フォーマット変換部１０３は、ポスター画像を表示可能として規定化されたサイズと形式に適合するようにフォーマット変換することにより変換画像とし、ＵＲＬ情報と共にその変換画像を画像蓄積部１０４に蓄積する機能を持つ。
【００１９】
ポスター画像公開部１０５は、クライアント端末２０を介してポスター管理者２から得られるポスター画像の公開指示に基づき、画像蓄積部１０４に蓄積された変換画像を呼び出し、そのバージョン情報を更新して当該更新用の世代差ファイルを生成し、ユーザ端末３０による閲覧のために公開する機能を持つ。ポスター画像公開部１０５は、バージョン情報保管部１０６と、バージョン情報管理部１０７で構成される。
バージョン情報保管部１０６は、公開される変換画像の呼び出し時に、その変換画像が持つバージョン情報を更新して保管し、一般ユーザ３が持つ全てのユーザ端末３０に対して共用を許し、また、バージョン情報管理部１０７は、公開される少なくとも一つの変換画像とバージョン情報を１個のファイルに圧縮し、当該ファイルを世代差ファイルとして３次元チャットのバージョン管理のために接続される自動更新サーバ１１へ登録する機能を持つ。
【００２０】
図３〜図１５は、本発明のポスター管理入稿サーバの動作を説明するために引用した図である。
図３、図４は、ポスター管理入稿サーバの動作手順を示すフローチャート、図５〜図１４は、クライアント端末２０の画面遷移を説明するために引用した図であり、ポスター一覧表示画面（図５）、ポスター管理画面（図６）、アップロード画面（図７）、アップロード完了後画面（図８）、画像変換画面１（図９）、画像変換画面２（図１０）、変換画像削除画面（図１１）、リンク先ＵＲＬ、タイトル指定画面（図１２）、公開登録画面（図１３）、クリック状況集計画面（図１４）のそれぞれを示す。また、図１５は、ユーザ端末３０に表示される３Ｄチャット画面の一例を示す図である。
以下、図３〜図１５を参照しながら、図１、図２に示すポスター管理入稿サーバの動作を詳細に説明する。
【００２１】
まず、ポスター管理者２は、クライアント端末２０を操作してポスター管理入稿サーバ１０にログインする。このことにより、ポスター管理者２に編集権限が付与されたポスター画像、ここでは図５に示されるように、ポスターギャラリーとして公開中の一覧画面が表示される。
ここで、画面左にあるポスター管理メニューをクリックすることにより、図６に示されるポスター管理画面が表示され、このことによりポスターの入稿が可能となる。
ポスター管理画面には、ポスター管理入稿サーバ１０にアップロードする、あるいはしたオリジナル画像が表示される他に、実際に３Ｄチャット空間の一部に貼られる変換後の画像の表示、管理用のポスタータイトルの入力ボックス（ポスターギャラリーで表示）、３Ｄチャット空間で一般ユーザ３がクライアント端末３０を操作してクリックした際に開くＵＲＬの入力ボックス、画像データのアップロードボタン、画像変換ボタン、変換画像の削除ボタン、画像変換する際の透過色の指定ボタンがそれぞれ割りけられ、表示される。
なお、図中、ＰＯＳＴＥＲ−１、２とあるのは、場所の識別子を示す。
【００２２】
図７に示されるように、「アップロード」ボタン（図中矢印）をクリックすれば、クライアント端末２０から送信する画像ファイルの指定を促がすダイアログが開き、ファイルを選択して「開く」を指定すれば、その画像ファイルがポスター管理入稿サーバ１０に送信される。アップロード完了後の画面を図８に示す。アップロードが完了すれば、そのサムネールがアップロード画像に表示される。
【００２３】
図３に示すフローチャートにおいて、ポスター管理入稿サーバ１０は、ポスター画像ファイルを受信してポスター入稿データを得（Ｓ３０１、Ｓ３０２）、画像サイズ変換処理（Ｓ３０４）、あるいは減色処理（Ｓ３０５）後のポスター管理者２による承認のための確認を待つ（Ｓ３０３、Ｓ３０６）。
すなわち、図９に示されるように、ポスター管理者が「画像変換」ボタン（図中矢印）をクリックすることにより、ポスター管理入稿サーバ１０が起動され、ポスター管理入稿サーバ１０で最適化されたポスター用の画像ファイルが作成される。ここで、最適化とは、ポスター管理入稿サーバ１０が扱う規定化された画像ファイルと色数等の規格に適合される処理をいう。ここに示される変換画像のサムネールを介し、リサイズや減色された画像の確認がなされる。
【００２４】
また、図１０に示されるように、画像変換時に「透過」ボタン（図中矢印）をＯＮすることで、指定されたＲ、Ｇ、Ｂの値を持つピクセル値を透明にすることも可能である。更に、図１１に示されるように、「変換画像削除」ボタン（図中矢印）がクリックされることにより、変換されたポスター用の画像ファイルが削除される。
以上のように、ポスター管理者２がクライアント端末２０を介してウェブインタフェース画面を操作することにより、試行錯誤を繰り返して変換画像を確認し、最後に、図１２に示されるように、タイトルとリンク先ＵＲＬとを設定してポスター画像の入稿作業を終える。
ここで、タイトルとは、ポスターギャラリーとポスタークリック状況のページで使用するポスター名のことをいい、リンク先ＵＲＬとは、３Ｄチャット空間に公開されたポスターをユーザがクリックした場合にどのサイトが開くか、そのサイト先をいう。
ポスター管理入稿サーバ１０は、最終的に確認された画像を取り込み、ビットマップファイルを、３Ｄ仮想空間で扱う圧縮ファイル形式にフォーマット変換する（Ｓ３０７）。そして、その最終的な変換画像を画像蓄積部１０４へ蓄積して、ポスター管理者２からそのポスターの公開指示を待つ（Ｓ３０８）。
【００２５】
図４において、ポスター管理入稿サーバ１０は、クランアント端末２０からのポスター公開コマンドの依頼を待っている（Ｓ３０９）。このポスター公開コマンドは、図１３に示されるように、画面右上に割り付けられる「公開」ボタン（図中矢印）がクリックされることによりクライアント端末２０によって生成される。
ポスター公開コマンドを受信したポスター管理入稿サーバ１０は、ポスター画像公開部１０５において、公開するポスター用変換画像データを画像蓄積部１０４から呼び出し（Ｓ３１０）、更にそのバージョン情報を呼び出して＋１更新する（Ｓ３１１、Ｓ３１２）。そして、呼び出された１あるいは複数の変換画像データと１個のバージョン情報とを１個のファイルに圧縮して世代差ファイルとして生成し（Ｓ３１３）、その世代差ファイルを自動更新サーバ１１へ送信して登録を行う（Ｓ３１４）。
【００２６】
このように、「公開」ボタンがクリックされることにより、ポスター用に変換した画像群とポスター管理入稿サーバ１０によって自動生成されるバージョン情報とが統合され、自動更新サーバ１１に登録される。
このことにより、一般ユーザ３は、自動更新サーバ１１からその差分ファイルを受信後、ポスターが更新された３Ｄチャット空間にログインすることができる。ユーザは、３Ｄチャットのバージョンアップに伴うバージョンの世代差を把握、管理する必要がなくなり、ユーザは勿論のこと、ポスター提供側である企業ユーザにとってもバージョンの管理負荷が大幅に軽減される。この３Ｄチャット画面の一例を図１５に示す。
なお、図１４は、３Ｄチャットユーザから送信されるポスタークリック状況の集計画面を示すものであり、ポスター管理入稿サーバ１０は、ポスター管理者によりポスタークリック状況メニューがクリックされることで、３Ｄチャット空間に掲載されたポスターのクリック状況を集計し、その集計結果を企業ユーザに提供することができる。
【００２７】
以上説明のように本発明は、企業ユーザに、ウェブインタフェース画面を使用してポスター画像とリンク先アドレスの編集を行わせることでポスターの管理権限を与え、また、そのバージョン管理を自動化することにより、空間管理者の負担軽減をはかったものである。
なお、本発明は、企業ユーザであるポスター管理者にポスター画像ファイルのみを編集できる権限を与えるものであって、プログラムや空間を編集できないように制限してリスク回避をはかっている。また、ここでは、３Ｄチャットにアクセスしてポスター画像を見てアクセスする一般ユーザは、個人ユーザを意識したが、企業ユーザも含ものとする。更に、ポスター管理入稿サーバ１０は１台のみ示したが、その負荷によっては複数台で構成されることもある。
【００２８】
また、図２に示す、通信インタフェース部１０１、ポスター画像受信部１０２、フォーマット変換部１０３、ポスター画像公開部１０５、バージョン情報保管部１０６、バージョン情報管理部１０７のそれぞれで実行される手順をコンピュータ読取り可能な記録媒体に記録し、この記録媒体に記録されたプログラムをコンピュータシステムに読み込ませ、実行することにより、本発明の３次元チャット仮想空間におけるポスター管理入稿サーバが実現されるものとする。ここでいうコンピュータシステムとは、ＯＳや周辺機器等のハードウアを含むものである。
【００２９】
更に、「コンピュータシステム」は、ＷＷＷシステムを利用している場合であれば、ホームページ提供環境（あるいは表示環境）も含むものとする。
また、「コンピュータ読取り可能な記録媒体」とは、ＲＯＭの他に、フレキシブルディスク、光磁気ディスク、ＣＤ−ＲＯＭ等の可搬媒体、コンピュータシステムに内蔵されるハードディスク等の記憶装置のことをいう。さらに「コンピュータ読取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３１】
以上、この発明の実施形態について図面を参照して詳述してきたが、具体的な構成はこの実施形態に限られるものではなく、この発明の要旨を逸脱しない範囲の設計等も含まれる。
【００３２】
【発明の効果】
以上説明のように本発明によれば、クライアント端末で持つウェブインタフェースを用い、入稿のために企業ユーザにより送信されるポスター画像、及び当該ポスター画像のリンク先アドレス情報を受信し、規定化されたサイズと形式に適合するようにフォーマット変換し、アドレス情報と共にその変換画像を蓄積して公開待ちとすることにより、企業ユーザに、ポスター画像とリンク先アドレスの編集を行わせることができ、このことにより、企業ユーザに対してポスター管理に自由度を与え、また、その際の空間管理者に対する負荷軽減にも寄与することができる。
【００３３】
また、本発明によれば、ポスター管理入稿サーバが、ポスター画像の公開指示に基づき、蓄積された変換画像を呼び出し、そのバージョン情報を更新して当該更新用の世代差ファイルを自動生成するため、一般ユーザは、自動更新サーバからその差分ファイルを受信後、ポスターが更新された３Ｄチャット空間にログインすることができる。
このことにより、一般ユーザは、３Ｄチャットのバージョンアップに伴うバージョンの世代差を把握、管理する必要がなくなり、ユーザは勿論のこと、ポスターを提供する企業ユーザ側においても世代差ファイルを作成するスキルを要することなくバージョンの管理負荷が大幅に軽減される。
【００３４】
なお、本発明は、企業ユーザであるポスター管理者にポスター画像ファイルのみを編集できる権限を与えるものであって、プログラムや空間を編集できないように制限することによりリスク回避をはかっている。
【図面の簡単な説明】
【図１】本発明の３次元チャット仮想空間におけるポスター管理入稿システム及びその利用主体を説明するために引用した図である。
【図２】図１に示すポスター管理入稿サーバの内部構成を機能展開して示したブロック図である。
【図３】本発明実施形態の動作を説明するために引用したフローチャートである。
【図４】本発明実施形態の動作を説明するために引用したフローチャートである。
【図５】本発明実施形態の動作を説明するために引用した図であり、企業ユーザ側におけるクライアント端末の画面遷移を示す図である。
【図６】本発明実施形態の動作を説明するために引用した図であり、企業ユーザ側におけるクライアント端末の画面遷移を示す図である。
【図７】本発明実施形態の動作を説明するために引用した図であり、企業ユーザ側におけるクライアント端末の画面遷移を示す図である。
【図８】本発明実施形態の動作を説明するために引用した図であり、企業ユーザ側におけるクライアント端末の画面遷移を示す図である。
【図９】本発明実施形態の動作を説明するために引用した図であり、企業ユーザ側におけるクライアント端末の画面遷移を示す図である。
【図１０】本発明実施形態の動作を説明するために引用した図であり、企業ユーザ側におけるクライアント端末の画面遷移を示す図である。
【図１１】本発明実施形態の動作を説明するために引用した図であり、企業ユーザ側におけるクライアント端末の画面遷移を示す図である。
【図１２】本発明実施形態の動作を説明するために引用した図であり、企業ユーザ側におけるクライアント端末の画面遷移を示す図である。
【図１３】本発明実施形態の動作を説明するために引用した図であり、企業ユーザ側におけるクライアント端末の画面遷移を示す図である。
【図１４】本発明実施形態の動作を説明するために引用した図であり、企業ユーザ側におけるクライアント端末の画面遷移を示す図である。
【図１５】本発明実施形態の動作を説明するために引用した図であり、一般ユーザ側におけるクライアント端末の画面遷移を示す図である。
【符号の説明】
１…空間管理者、２…ポスター管理者、３…一般ユーザ、１０…ポスター管理入稿サーバ、１１…自動更新サーバ、１２…３Ｄチャットサーバ、２０…クライアント端末、３０…ユーザ端末、１０１…通信インタフェース部、１０２…ポスター画像受信部、１０３…フォーマット変換部、１０４…画像蓄積部、１０５…ポスター画像公開部、１０６…バージョン情報保管部、１０７…バージョン情報管理部
【図１】
2004094639.tif 000003
【図２】
2004094639.tif 000004
【図３】
2004094639.tif 000005
【図４】
2004094639.tif 000006
【図５】
2004094639.tif 000007
【図６】
2004094639.tif 000008
【図７】
2004094639.tif 000009
【図８】
2004094639.tif 000010
【図９】
2004094639.tif 000011
【図１０】
2004094639.tif 000012
【図１１】
2004094639.tif 000013
【図１２】
2004094639.tif 000014
【図１３】
2004094639.tif 000015
【図１４】
2004094639.tif 000016
【図１５】
2004094639.tif 000017